(57)【要約】【課題】和室の床の間に飾る掛軸に関し、家や家族にとっての教訓や人生の指針となる家訓に、あるいは会社が顧客や従業員に呈示する社訓にふさわしい体裁を付与して和室に掲載することができるようにする。【解決手段】軸装用の和紙に家訓２と家名３、又は社訓と社名を書し、これを掛軸に軸装することにより、上記課題を解決したものである。家訓２や社訓は、掛軸の本紙１の幅方向中央に縦書きで大書し、当該本紙１の側部、特に向かって右側上部に家名３や社名を縦書きで書し、更に当該本紙１の上端幅方向中央又は前記家名３や社名の上方に家紋４や社章を表示する。そして、上記のように家訓２、家名３及び家紋４、又は社訓、社名及び社章を表示した本紙１を軸装して掛軸とする。【選択図】図１
0003135199.tif 000002
【実用新案登録請求の範囲】
【請求項１】
幅方向中央に家訓(2)を縦書きで表示し、上部に家紋(4)を表示し、側部に家名(3)を表示した本紙(1)を備えている、掛軸。
【請求項２】
前記家名(3)が本紙(1)の幅方向の向かって右側上方に縦書きで表示され、当該家名の下に「家訓」の文字が縦書きで表示されている、請求項１記載の掛軸。
【請求項３】
前記家名(3)が本紙(1)の幅方向の向かって右側上方に縦書きで表示され、当該家名の上に前記家紋(4)が表示されている、請求項１又は２記載の掛軸。
【請求項４】
前記家紋(4)が本紙(1)の幅方向中央の上端部に表示されている、請求項１又は２記載の掛軸。
【請求項５】
幅方向中央に社訓(12)を縦書きで表示し、上部に社章(14)を表示し、側部に社名(13)を表示した本紙(1)を備えている、掛軸。
【請求項６】
前記社名(13)が本紙(1)の幅方向の向かって右側上方に縦書きで表示され、当該社名の下に「社訓」の文字が縦書きで表示されている、請求項５記載の掛軸。
【請求項７】
前記社名(13)が本紙(1)の幅方向の向かって右側上方に縦書きで表示され、当該社名の上に前記社章(14)が表示されている、請求項５又は６記載の掛軸。
【請求項８】
前記社章(14)が本紙(1)の幅方向中央の上端部に表示されている、請求項５又は６記載の掛軸。
【考案の詳細な説明】
【技術分野】
【０００１】
この考案は、和室の床の間に飾る掛軸に関するものである。
【背景技術】
【０００２】
周知のように掛軸は、縦長の和紙に描かれた書画（本紙、作品などと呼ばれている。以下、「本紙」と言う。）をそれより寸法の大きい縦長の表具地の略中央に貼付し、その周囲を裂地と呼ばれる装飾用の紋織物で囲ったもので、通常、和室に設けた床の間の壁面に吊るして使用する。表具地の下辺には軸棒が取り付けられており、使用しないときは、この軸棒に全体を巻きつけて保管する。
【０００３】
掛軸の本紙に描かれている書画は、たとえば書であれば、仏典や経典に出て来る言葉、格言、俳句や和歌などであり、画であれば、花鳥風月や仏像の絵である。掛軸を掛ける床の間は、仏間や座敷などと呼ばれる和室に多く設けられており、催し事で客や家族が集まるときには、その催し事にふさわしい書画が描かれた掛軸を吊るすことが一般に行われている。
【０００４】
一方、家によっては、家訓と言われるものが伝わっていたり、そのときどきの家父や家長の人生経験や人生観に基づいて新たに家訓を定めたりすることがある。家訓は、一家の者が従うべき家の訓戒、あるいは、子孫に与える教訓として定められた文言で、古くから一般に伝えられている格言や、論語などの古書を出典とする文言などがそのまま家訓になっていることもある。このような家訓は、家族が守るべき教訓、あるいは日常生活の指針として、家屋内に掲示されていることが好ましい。
【０００５】
また、株式会社や有限会社などの会社では、会社の指針や従業員の心構えなどを定めた社訓を会社の会議室や役員室などに額装して掲示していることが多い。会社の事務所は、通常、和室は備えていないが、貴賓室や社員の保養所に和室が設けられることも多い。
【特許文献１】実開昭６１‐２０６４８０号公報
【特許文献２】実願平６‐ １５９２９号公報
【特許文献３】実用新案登録第３０６７３６１号公報
【考案の開示】
【考案が解決しようとする課題】
【０００６】
この考案は、家や家族にとっての教訓や人生の指針となる家訓に、あるいは会社が顧客や従業員に呈示する社訓に、その家や会社ににふさわしい体裁を付与して和室に掲載することができるようにすると共に、掲載や保管の作業も簡単で、その展示も体裁よく行うことができる手段を提供しようとするものである。
【課題を解決するための手段】
【０００７】
この考案は、軸装用の和紙に家訓２と家名３、又は社訓１２と社名１３を書し、これを掛軸に軸装することにより、上記課題を解決したものである。家訓２や社訓１２は、掛軸の本紙１の幅方向中央に縦書きで大書し、当該本紙１の側部、特に向かって右側上部に家名３や社名１３を縦書きで書し、更に当該本紙１の上端幅方向中央又は前記家名３や社名１３の上方に家紋４や社章１４を表示する。そして、上記のように家訓２、家名３及び家紋４、又は社訓１２、社名１３及び社章１４を表示した本紙１を軸装して掛軸とする。
【０００８】
本紙１の家名３や社名１３の下には、「家訓」や「社訓」の文字を縦書きで表示するのが好ましい。家訓や社訓が格言などの一般的に知られた文言である場合、由来を知らない人には家訓や社訓であることが分からない。家名や社名の上または下に「家訓」や「社訓」の文字が表示されていれば、その本紙１の中央に書された文言がその家の家訓ないしその会社の社訓であることを明確にすることができる。
【０００９】
家紋４や社章１４は、本紙１の幅方向中央の上端部に表示することもできる。この場合は、図１に示すように、家紋４が家訓２の上方に配置されることとなる。
【００１０】
この考案の掛軸は、当然、１本ごとに本紙１の記載内容が異なる。そこで、軸装用の和紙に手書きやパソコンに接続されたプリンタを用いた印刷によって文字や図形を記載することにより、この考案の掛軸に軸装するための本紙１を作成する。
【考案の効果】
【００１１】
以上の説明から理解されるように、この考案に係る掛軸は、家訓を家名及び家紋と共に表した本紙を軸装した掛軸であり、家や家族に共通の教訓ないし生活指針である文言にその重要さに見合う装飾を付与できる。また、社訓を社名及び社章と共に表した本紙を軸装した掛軸では、会社の指針や社員の心構えを表示した文言にその重要さに見合う装飾を付与できる。
【００１２】
そして掛軸は、保管に便利で必要に応じて容易に掲示することができ、掲示したときに和室にふさわしい優れた雰囲気をかもし出すことができる。掲示された掛軸を日常的に見ることにより、あるいは、顧客や従業員に随時呈示することにより、家訓や社訓に示された教訓や生活指針を共有して家族や社員としての誇りや絆を深くすることができるという効果がある。
【考案を実施するための最良の形態】
【００１３】
以下、図面を参照して、この考案を更に説明する。図１は、この考案に係る掛軸の第１例を示した正面図で、丸表装といわれる表装の例であり、図２は図１の掛軸の本紙の上部の拡大図である。図に示すように、掛軸の本紙１の幅方向中央に家訓となる文言２が大きな文字で縦書き一行に書かれている。本紙１の向かって右側上部に家名３と「家訓」の文字が書され、家名３の上に家紋４が記されている。
【００１４】
図の例では、本紙１の向かって左側に、「先祖が築きあげた今日に感謝し家の繁栄を願う」、「第○代当主○○」と、この掛軸を作成した者の家訓に対する思想と名前が記されている。
【００１５】
図３は、この考案に係る掛軸の第２例を示した正面図で、社訓を表示した掛軸の例であり、図４は図３の掛軸の本紙の上部の拡大図である。掛軸の本紙１の幅方向中央に社訓となる文言１２が大きな文字で縦書き一行に書かれている。本紙１の向かって右側上部に社名１３と「社訓」の文字が書され、社名１３の上に社章１４が記されている。
【００１６】
図３の例では、本紙１の向かって左側下方に、「平成○年○月○日」及び「代表取締役○○」と、この掛軸を作成した年月日と作成者者の名前が記されている。
【００１７】
図５は、複数の家訓や社訓がある場合の例で、図の例では、掛軸の本紙１の中央に縦二行にして、家訓となる２つの文言２、２がそれぞれ縦一行で記されている。家名３や「家訓」の文字の表示位置は、図１の例と変わらないが、家紋４は、本紙１の幅方向の中央上端部に表示されている。
【００１８】
家訓を表示する場合の家訓２、家名３、家紋４及び「家訓」の文字や作成者の思想及び名前を記した文字、また社訓を表示する場合の社訓１２、社名１３、社章１４及び「社訓」の文字や作成年月日及び作成者の名前を記した文字は、本紙１に手書きによる墨書あるいは毛筆書体をパソコンに接続されたインクジェットプリンタで所定位置に印刷することによって記載できる。このようにして作成した本紙１を表具師に依頼して軸装することにより、この考案の掛軸が得られる。
【図面の簡単な説明】
【００１９】
【図１】この考案の第１実施例を示す正面図
【図２】図１の掛軸の本紙の上部を拡大して示した図
【図３】この考案の第２実施例を示す正面図
【図４】図３の掛軸の本紙の上部を拡大して示した図
【図５】この考案の第３実施例を示す正面図
【符号の説明】
【００２０】
１  掛軸の本紙
【図１】
0003135199.tif 000003
【図２】
0003135199.tif 000004
【図３】
0003135199.tif 000005
【図４】
0003135199.tif 000006
【図５】
0003135199.tif 000007